(57)【要約】      （修正有）【課題】不正行為によって開閉羽根が強制的に開けられないチューリップ型の電動可変入賞装置を提供する。【解決手段】開閉羽根５ａに形成された係合ピン９ａを取付基板１の裏面に突出させ、該係合ピンが上下動されることにより該開閉羽根が開閉動すると共に、ソレノイド１５を励磁することによりプランジャー１８が後退動するようにし、さらに軸支部を中心として二股状部２６ａが前方に延設され上方には係合部２７ａを延設してなる側面略Ｌ字形のクランク部材２３を機枠体内に反復回転動自在なるように軸支し、該二股状部に前記係合ピンを遊嵌し該二股状部によって該係合ピンが上下動されることにより開閉羽根が開閉動するようにし、プランジャーが後退動したとき鍔部材２０の裏面に前記係合部が当接し得るようにし、プランジャーを前進動させたとき該鍔部材が前記二股状部上にまで達しているようにし該二股状部の上動を阻止する。【選択図】図４
2009106594.tif 000002
【特許請求の範囲】
【請求項１】
中央に入球口が開設された取付基板の前面に一対の開閉羽根が軸支され、該開閉羽根に形成された係合ピンを取付基板の裏面に突出させ、該係合ピンが上下動されることにより該開閉羽根が逆八字状に開いたり平行起立状に閉じられるようにすると共に、前記取付基板の裏側に設けられた機枠体にソレノイドを固設し、該ソレノイドにはプランジャーを前方に付勢する復帰用コイルバネが設けられ、該ソレノイドを励磁することにより該プランジャーが該復帰用コイルバネの弾性に抗して後退動するようにし、さらに軸支部を中心として二股状部が前方に延設され上方には係合部を延設してなる側面略Ｌ字形のクランク部材を機枠体内に反復回転動自在なるように軸支し、該二股状部に前記係合ピンを遊嵌し該二股状部によって該係合ピンが上下動されることにより前記開閉羽根が開閉動するようにし、プランジャーが後退動したとき該プランジャーの先端に設けられた鍔部材の裏面に前記係合部が当接し得るようにし、プランジャーが復帰用コイルバネの弾性により前進動したとき該鍔部材が前記二股状部上にまで達しているようにすることにより該二股状部の上動が該鍔部材によって阻止されるようにしたことを特徴とする電動可変入賞装置。
【発明の詳細な説明】
【技術分野】
【０００１】
本発明は、パチンコ遊技機の遊技盤に設けられ、ソレノイドを作動させることにより一対の開閉羽根が平行起立状態、または逆八字状に傾動し、遊技盤上を流下するパチンコ球を入賞し難くしたり入賞し易くする所謂チューリップ型の電動可変入賞装置に関するものである。
【背景技術】
【０００２】
ソレノイドを励磁及び消磁させることによって一対の開閉羽根が平行起立状態、または逆八字状に傾動するようにした所謂チューリップ型の電動可変入賞装置は、下記特許文献１、２等に示されている。
【特許文献１】実公平７−３００５０号公報
【特許文献２】実開平６−２１６７５号公報
【０００３】
また、遊技場に設けられるパチンコ遊技機においては、不正な遊技者が遊技機内に針金等を突っ込んでこの電動可変入賞装置の開閉羽根を強制的に開け、遊技球を不正に入賞させるといった不正行為が行われるおそれがあることから、このような不正行為を検知し、防止するための種々の手段が従来から設けられている。
【発明の開示】
【発明が解決しようとする課題】
【０００４】
しかしながら、近時は不正行為が非常に巧妙化しているため、チューリップ型の電動可変入賞装置についてさらに有効な対策が必要となっていた。そこで本発明は、チューリップ型の電動可変入賞装置の不正開放を確実に防止し得る構造を提供しようとするものである。
【課題を解決するための手段】
【０００５】
そのために本発明に係る電動可変入賞装置は、中央に入球口が開設された取付基板の前面に一対の開閉羽根が軸支され、該開閉羽根に形成された係合ピンを取付基板の裏面に突出させ、該係合ピンが上下動されることにより該開閉羽根が逆八字状に開いたり平行起立状に閉じられるようにすると共に、前記取付基板の裏側に設けられた機枠体にソレノイドを固設し、該ソレノイドにはプランジャーを前方に付勢する復帰用コイルバネが設けられ、該ソレノイドを励磁することにより該プランジャーが該復帰用コイルバネの弾性に抗して後退動するようにし、さらに軸支部を中心として二股状部が前方に延設され上方には係合部を延設してなる側面略Ｌ字形のクランク部材を機枠体内に反復回転動自在なるように軸支し、該二股状部に前記係合ピンを遊嵌し該二股状部によって該係合ピンが上下動されることにより前記開閉羽根が開閉動するようにし、プランジャーが後退動したとき該プランジャーの先端に設けられた鍔部材の裏面に前記係合部が当接し得るようにし、プランジャーが復帰用コイルバネの弾性により前進動したとき該鍔部材が前記二股状部上にまで達しているようにすることにより該二股状部の上動が該鍔部材によって阻止されるようにしたことを特徴とする。
【発明の効果】
【０００６】
この電動可変入賞装置では、ソレノイドが非励磁の状態であってプランジャーが復帰用コイルバネによって前進状態に保たれているときは、開閉羽根を強制的に開けようとしても、該プランジャーの先端に設けられた鍔部材によって該開閉羽根が開くのが阻止され、遊技球を不正に入賞させる行為が未然に防止される。
【発明を実施するための最良の形態】
【０００７】
次に本発明の実施形態を図面に従い説明する。図１はこの電動可変入賞装置の正面図、図２は平面図、図３はその後方からの斜視図、図４は縦断面図である。また、図５はその分解斜視図である。これらの図中、符号１は中央に入球口２が開設された取付基板、３は該取付基板の前面にビス４により固設される球受部材、５ａ，５ｂは取付基板１の前面で該球受部材内に設けられた支軸６ａ，６ｂにより平行起立及び逆八字状傾動自在に軸支された一対の開閉羽根で、該取付基板１の裏面には入球口２より流入したパチンコ球を後方に導く緩後傾状の球誘導樋７が設けられる。また、開閉羽根５ａ，５ｂの裏面に一体に係合ピン９ａ，９ｂが形成され、該係合ピンを取付基板１の裏面に突出させている。１０は取付基板１の上部に形成された普通入賞口である。また、１ａ，１ｂは、図４に示した遊技盤３２の前面に取付基板１を取り付けるため該取付基板に開設されたビス貫通用の透孔、１ｃ，１ｄは支軸６ａ，６ｂの後端部が貫挿され止着されるように取付基板１の前面に形成した軸受部である。なお、１１は取付基板１の中央部に貫通状に形成された小孔である。また、取付基板１の裏面に機枠体１２が一体に形成され、該機枠体１２の下部中心に前記球誘導樋７が形成されている。また、該機枠体１２の上部には前記普通入賞口１０の後面と連なる球導路１４が一体に形成されている。
【０００８】
機枠体１２の後側にはソレノイド１５を横向きに収納する空間が形成された第２の機枠体１６がビス１７により固着される。１８は該ソレノイド１５のプランジャー、１９は該プランジャーの外周に装着される復帰用コイルバネで、該コイルバネはソレノイド１５の前面とプランジャー１８の先端に設けられた鍔部材２０間に圧縮状態で設けられる。このため該ソレノイド１５を作動させることで該プランジャー１８は球誘導樋７の上部にて水平方向に進退動する。詳しくは、直流電流を印加してソレノイド１５を励磁したときはプランジャー１８はコイルバネ１９を収縮させて該ソレノイド１５中に吸引され、直流電流を断つことでソレノイド１５を消磁させたときはプランジャー１８はコイルバネ１９の弾性により前方に突出する。なお、２１はソレノイド１５の抜脱を防ぐため機枠体１６に形成された爪片である。また、機枠体１６の上部には前記球導路１４の後部と連なる球導路２２が直交折曲状に形成され、普通入賞口１０に入賞したパチンコ球は球導路１４を経て該球導路２２に流下し排出する。なお、普通入賞口１０内底面と球導路１４，球導路２２内底面にはパチンコ球の流下方向に沿うように幅１．５〜３ｍｍ程度の突条が形成され、パチンコ球は該突条の上を転がるようにしている。
【０００９】
図６に拡大して示したように、２３はソレノイド１５のプランジャー１８の動きを開閉羽根５ａ，５ｂに伝達するため機枠体１２内に反復回転動自在なるように軸支された側面略Ｌ字形のクランク部材で、該クランク部材２３は横断軸２４の両端に軸支部２５ａ，２５ｂが一体に形成され、該軸支部から前方に二股状部２６ａ，２６ｂが延設され、該軸支部から上方には先端に内側へ折れ曲がる係合鉤２８ａ，２８ｂを形成した係合部２７ａ，２７ｂが延設されている。そして、該軸支部２５ａ，２５ｂを前記機枠体１２の後縁部に形成された切欠孔２９に遊嵌し機枠体１６を固着し該切欠孔を閉じることにより該軸支部２５ａ，２５ｂを回転自在に支持する。そして、二股状部２６ａ，２６ｂに前記係合ピン９ａ，９ｂを遊嵌し、該クランク部材２３を軸支部２５ａ，２５ｂを支点として回転させ該二股状部２６ａ，２６ｂによって該係合ピン９ａ，９ｂを上下動させることにより、前記開閉羽根５ａ，５ｂが開閉動するようにする。また、前記係合部２７ａ，２７ｂの係合鉤２８ａ，２８ｂをプランジャー１８が後退動したとき該プランジャーの先端に設けられた鍔部材２０の裏面に当接し得るようにする。そして、図４に示したように、プランジャー１８が復帰用コイルバネ１９の弾性により前進動しているとき、該鍔部材２０が前記二股状部２６ａ，２６ｂ上にまで達しているようにする。このように鍔部材２０が二股状部２６ａ，２６ｂ上にまで達していることにより、該二股状部２６ａ，２６ｂの上動が阻止され、係合ピン９ａ，９ｂの上動も阻止される。このためにソレノイド１５が消磁しているときは、開閉羽根５ａ，５ｂを不正に強制的に開けることが一切できなくなる。なおこの実施形態では、鍔部材２０の下縁前方に垂下片２０ａが延設され、該垂下片２０ａが上動しようとする二股状部２６ａ，２６ｂに当接し得るようにしている。
【００１０】
一方、ソレノイド１５を励磁させたときは、復帰用コイルバネ１９の弾性に抗してプランジャー１８が後方に引っ張られ、図７に示したように、鍔部材２０が係合部２７ａ，２７ｂを引っ張ることから、クランク部材２３が軸支部２５ａ，２５ｂを支点として後傾され二股状部２６ａ，２６ｂが係合ピン９ａ，９ｂを押し上げることから開閉羽根５ａ，５ｂは図１に２点鎖線で示したように逆八字状に傾動（開動）し、該開閉羽根５ａ，５ｂの間にパチンコ球が入賞し易い状態となる。そして、ソレノイド１５が消磁されると、復帰用コイルバネ１９の弾性により再び図４に示したように開閉羽根５ａ，５ｂが平行起立状に閉じた状態になる。従ってこの閉状態にて該開閉羽根５ａ，５ｂに外力を加えても該開閉羽根５ａ，５ｂを無理に開けることはできなくなる。
【００１１】
なお、前記小孔１１は、不正を目的とすることなく、管理者が掃除、或いは球詰まりを解消させるような目的で、遊技盤３２の前方から該小孔１１に細い棒状のもの（図示せず）を差し込んで、鍔部材２０をコイルバネ１９の弾性に抗して押し込むことにより、ソレノイド１５を励磁することなく開閉羽根５ａ，５ｂを一時的に開けられるようにすることの便益のために設けられる。従って、該小孔１１は、必要に応じて設けられるものであり、不正防止を目的とする本発明では必ずしも設けることを要しないことは言うまでもない。
【００１２】
このように本発明に係る電動可変入賞装置では、プランジャーを励磁させない限り外力によって開閉羽根５ａ，５ｂを強制的に開けることができないため、パチンコ遊技機において遊技球を不正入賞させることを有効に防止することができる。
【図面の簡単な説明】
【００１３】
【図１】本発明に係る電動可変入賞装置の正面図。
【図２】本発明に係る電動可変入賞装置の平面図。
【図３】本発明に係る電動可変入賞装置の後方からの斜視図。
【図４】本発明に係る電動可変入賞装置の縦断面図。
【図５】本発明に係る電動可変入賞装置の分解斜視図。
【図６】本発明に係る電動可変入賞装置のクランク部材の拡大斜視図。
【図７】図４の電動可変入賞装置の作動状態図。
【符号の説明】
【００１４】
１                取付基板
２                入球口
５ａ，５ｂ        開閉羽根
６ａ，６ｂ        支軸
９ａ，９ｂ        係合ピン
１２              機枠体
１５              ソレノイド
１６              機枠体
１８              プランジャー
１９              復帰用コイルバネ
２０              鍔部材
２３              クランク部材
２５ａ，２５ｂ    軸支部
２６ａ，２６ｂ    二股状部
２７ａ，２７ｂ    係合部
２８ａ，２８ｂ    係合鉤
【図１】
2009106594.tif 000003
【図２】
2009106594.tif 000004
【図３】
2009106594.tif 000005
【図４】
2009106594.tif 000006
【図５】
2009106594.tif 000007
【図６】
2009106594.tif 000008
【図７】
2009106594.tif 000009